(57)【要約】【課題】抗菌性の高い吸収性物品用シート及び吸収性物品を提供すること。【解決手段】吸収性物品用シートは、有機疎水性抗菌剤と、親水性かつ不揮発性の有機溶媒と、１０質量％以下の水とを含む。この吸収性物品用シートは、有機疎水性抗菌剤と、親水性かつ不揮発性の有機溶媒と、８質量％以下の水とを含む抗菌剤溶液をシートに含有させることで好適に製造される。吸収性物品は、有機疎水性抗菌剤と、親水性かつ不揮発性の有機溶媒とを含有する吸収性コアを含む。この吸収性物品は、有機疎水性抗菌剤を親水性かつ不揮発性の有機溶媒に溶解してなる抗菌剤溶液を、吸収性コアに含有させることで好適に製造される。【選択図】なし【特許請求の範囲】
【請求項１】
有機疎水性抗菌剤と、親水性かつ不揮発性の有機溶媒と、１０質量％以下の水とを含む吸収性物品用シート。
【請求項２】
前記有機疎水性抗菌剤を０．０２ｇ／ｍ２以上含む請求項１に記載の吸収性物品用シート。
【請求項３】
前記有機溶媒を、前記有機疎水性抗菌剤の質量の４倍以上１０００倍以下の割合で含む請求項１又は２に記載の吸収性物品用シート。
【請求項４】
前記有機疎水性抗菌剤は、以下の式（１）若しくは（２）で表される有機化合物、又はトリクロサンである請求項１ないし３のいずれか一項に記載の吸収性物品用シート。
【化１】
2017070515.tif 000014
【化２】
2017070515.tif 000015
【請求項５】
吸収性コアと、該吸収性コアの肌対向面側に配されるコアラップシートと、該コアラップシートの肌対向面側に配される表面シートとを有し、
前記コアラップシートとして請求項１ないし４のいずれか一項に記載の吸収性物品用シートを用いた吸収性物品。
【請求項６】
有機疎水性抗菌剤と、親水性かつ不揮発性の有機溶媒とを含有する吸収性コアを含む吸収性物品。
【請求項７】
有機疎水性抗菌剤と、親水性かつ不揮発性の有機溶媒と、８質量％以下の水とを含む抗菌剤溶液をシートに含有させる工程を有する吸収性物品用シートの製造方法。
【請求項８】
前記抗菌剤溶液を前記シートに含有させた後、
前記親水性かつ不揮発性の有機溶媒を前記シートに残留させたままにしておく請求項７に記載の吸収性物品用シートの製造方法。
【請求項９】
前記親水性かつ不揮発性の有機溶媒が、プロピレングリコール、エチレングリコール、及びブチレングリコールからなる群から選ばれる少なくとも１種の有機溶媒である請求項７又は８に記載の吸収性物品用シートの製造方法。
【請求項１０】
有機疎水性抗菌剤を親水性かつ不揮発性の有機溶媒に溶解してなる抗菌剤溶液を、吸収性コアに含有させる工程を有する吸収性物品の製造方法。
【請求項１１】
有機疎水性抗菌剤と、親水性かつ不揮発性の有機溶媒と、３０質量％以下の水とを含む抗菌剤溶液をシートに含有させた後、乾燥させる工程を有する吸収性物品用シートの製造方法。
【発明の詳細な説明】
【技術分野】
【０００１】
本発明は、吸収性物品用シート及び吸収性物品に関する。また本発明は、それらの製造方法に関する。
【背景技術】
【０００２】
抗菌剤を付与したティッシュペーパー等の紙を用いることによって、使用者の皮膚に抗菌作用を施す技術が知られている。例えば特許文献１には、抗菌剤と活性炭とが、吸収性コアと表面シートとの間に施されている吸収性物品が記載されている。特許文献２には、鼻かみ時における肌への刺激を低減することを目的として、抗菌剤を付与したティッシュペーパーが提案されている。特許文献３には、皮膚の表面を清浄にし、細菌の増殖と生存性を制御するための抗菌拭き取り用品が提案されている。この拭き取り用品には抗菌剤が含まれている。
【先行技術文献】
【特許文献】
【０００３】
【特許文献１】特開２００６−１９１９６６号公報
【特許文献２】特開２００７−１９５９３６号公報
【特許文献３】特表２００２−５４０８９８号公報
【発明の概要】
【発明が解決しようとする課題】
【０００４】
上述した各特許文献に記載の技術によれば、ある程度の抗菌効果は発現する。しかし、抗菌効果が発現する部位が、抗菌剤を付与した部位にとどまり、更に高い抗菌効果を発現することが望まれていた。また、高い抗菌効果が発現するように抗菌剤を施す方法は、これらの特許文献には記載されていない。
【０００５】
したがって本発明の課題は、抗菌剤を含有する物品の改良にあり、更に詳しくは、吸収性物品用シート及び吸収性物品の抗菌性を従来よりも高めることにある。また本発明の課題は、抗菌性の高い吸収性物品用シート及び吸収性物品を容易に製造し得る方法を提供することにある。
【課題を解決するための手段】
【０００６】
本発明は、有機疎水性抗菌剤と、親水性かつ不揮発性の有機溶媒と、１０質量％以下の水とを含む吸収性物品用シートを提供するものである。
【０００７】
また本発明は、前記のシートの好適な製造方法として、有機疎水性抗菌剤と、親水性かつ不揮発性の有機溶媒と、８質量％以下の水とを含む抗菌剤溶液をシートに含有させる工程を有する吸収性物品用シートの製造方法を提供するものである。
【０００８】
また本発明は、有機疎水性抗菌剤と、親水性かつ不揮発性の有機溶媒と、３０質量％以下の水とを含む抗菌剤溶液をシートに含有させた後、乾燥させる工程を有する吸収性物品用シートの製造方法を提供するものである。
【０００９】
また本発明は、有機疎水性抗菌剤と、親水性かつ不揮発性の有機溶媒とを含有する吸収性コアを含む吸収性物品を提供するものである。
【００１０】
本発明は、前記の吸収性物品の好適な製造方法として、有機疎水性抗菌剤を親水性かつ不揮発性の有機溶媒に溶解してなる抗菌剤溶液を、吸収性コアに含有させる工程を有する吸収性物品の製造方法を提供するものである。
【発明の効果】
【００１１】
本発明によれば、抗菌性の高い吸収性物品用シート及び吸収性物品が提供される。また本発明によれば、抗菌性の高い吸収性物品用シート及び吸収性物品を容易に製造することができる。
【発明を実施するための形態】
【００１２】
以下本発明を、その好ましい実施形態に基づき説明する。本発明の吸収性物品用シートは、吸収性物品の構成部材の一つとして好適に用いられるものである。吸収性物品は、人体から排出される体液、例えば尿、経血、軟便、汗等の吸収に用いられる物品を広く包含し、使い捨ておむつ、生理用ナプキン、生理用ショーツ等が包含される。吸収性物品用シートの具体的な適用例としては、吸収性コアの少なくとも肌対向面側を被覆する被覆シートが挙げられる。この被覆シートは、コアラップシートとも呼ばれる。被覆シートに被覆される吸収性コアとしては、例えばフラップパルプと吸水性ポリマーとの混合積繊体、吸収性ポリマーのみの堆積体、及びフラッフパルプのみの積繊体などが挙げられる。吸収性コアの少なくとも肌対向面側を被覆シートで被覆することで吸収体が構成される。被覆シートの肌対向面側には表面シートが配置される。吸収性物品用シートの他の適用例としては、医療用、産業資材用、生活関連資材用等に用いられる、特に、抗菌性能を必要とする手術衣、包帯、絆創膏、ベッドシーツ、枕カバー、脇の下用パッドの吸収紙、靴用抗菌紙等が挙げられる。
【００１３】
吸収性物品用シートは、基材シートに、抗菌剤及び有機溶媒を含有させたものであることが好ましい。抗菌剤は１種を単独で、又は２種以上を組み合わせて用いることができる。同様に、有機溶媒も、１種を単独で、又は２種以上を組み合わせて用いることができる。吸収性物品用シートは水を含んでいてもよいが、水の含有量は、吸収性物品用シートの質量に対して１０質量％以下とすることが、抗菌性能の点から好ましい。１０質量％以下の水の含有量は、周囲環境下に吸収性物品用シートを置いたときに周囲環境から不可避的に自然に吸収される水の量に概ね等しい。吸収性物品用シートに含まれる水の量は、日本工業規格ＪＩＳＰ８１２７紙及び板紙-ロットの水分試験方法-乾燥機（１０５℃±２℃、乾燥時間３０分以上）による方法に準じて測定される。
【００１４】
吸収性物品用シートは液透過性を有することが好ましい。この観点から、吸収性物品用シートを構成する基材シートは繊維シートや、フィルムに複数の貫通孔を形成した穿孔シートであることが好ましい。繊維シートとしては、紙、不織布、織布、織物地、又はそれらの複合材などが挙げられる。吸収性物品用シートを構成する基材シートは、その坪量が、５０ｇ／ｍ２以上であることが好ましく、７０ｇ／ｍ２以上であることが更に好ましく、１００ｇ／ｍ２以上であることが一層好ましい。また、１０００ｇ／ｍ２以下であることが好ましく、５００ｇ／ｍ２以下であることが更に好ましく、３００ｇ／ｍ２以下であることが一層好ましい。吸収性物品用シートの坪量は、１０ｇ／ｍ２以上５０ｇ／ｍ２以下であることが好ましく、１２ｇ／ｍ２以上４０ｇ／ｍ２以下であることが更に好ましく、１３ｇ／ｍ２以上３５ｇ／ｍ２以下であることが一層好ましい。
【００１５】
基材シートには、抗菌剤及び有機溶媒を含む抗菌剤溶液が施されて、本発明の吸収性物品用シートが構成されることが好ましい。抗菌剤溶液は水を含んでいてもよいが、水の含有量は、抗菌剤溶液の質量に対して８質量％以下とすることが、抗菌剤溶液の安定性、並びに、抗菌剤溶液中の抗菌剤の発泡及び析出を抑制する点から好ましい。８質量％以下の水の含有量は、周囲環境下に抗菌剤溶液を置いたときに周囲環境から不可避的に自然に吸収される水の量に概ね等しい。吸収性物品用シートに抗菌剤が含まれているか否の定性分析、及び含まれている場合の定量分析を含めた分析方法は以下のとおりである。
分析方法：市販の製品から、コールドスプレー等を用いて接着剤の接着力を弱め、各材料を丁寧に剥がす。各材料に対し、まず蛍光Ｘ線回折を行い、金属が含まれているか否かを確認する。金属以外の剤（抗菌剤、有機溶媒）については、各材料をメタノール溶液に浸漬後、該メタノール溶液に含まれる該剤を、ＨＰＬＣ等を用いて分画する。該分画に含まれる化合物を、ＮＭＲ測定器などを用いて同定する。前記メタノール溶液をＬＣ−ＵＶなどを用いることで濃度を算出して定量する。
また、本発明の吸収性物品用シートは、３０質量％以下の水を含んだ抗菌剤溶液を、基材シートに施すことによって構成されていてもよい。その場合、基材シートに抗菌剤溶液を施した後、乾燥により水を除去する工程を設ける。乾燥手段は熱風を噴き当てる方法や、加熱したロールに沿わせるなど、周知の方法を制限なく用いることができる。
【００１６】
抗菌剤及び有機溶媒は、吸収性物品用シートの全域にわたって均一に存在していてもよい。あるいは抗菌剤及び有機溶媒は、吸収性物品用シートにおける特定の部位に局所的に存在していてもよい。いずれの場合であっても、吸収性物品用シートにおける抗菌剤の存在量は０．０２ｇ／ｍ２以上であることが好ましく、０．０４ｇ／ｍ２以上であることが更に好ましく、０．０５ｇ／ｍ２以上であることが一層好ましい。また、０．５ｇ／ｍ２以下であることが好ましく、０．４ｇ／ｍ２以下であることが更に好ましく、０．３ｇ／ｍ２以下であることが一層好ましい。吸収性物品用シートにおける抗菌剤の存在量は０．０２ｇ／ｍ２以上０．５ｇ／ｍ２以下であることが好ましく、０．０４ｇ／ｍ２以上０．４ｇ／ｍ２以下であることが更に好ましく、０．０５ｇ／ｍ２以上０．３ｇ／ｍ２以下であることが一層好ましい。この存在量は、抗菌剤が局所的に存在している場合であっても、吸収性物品用シートの全面積を基準として算出されるものである。
【００１７】
吸収性物品用シートにおける有機溶媒の存在量は０．１ｇ／ｍ２以上であることが好ましく、０．２ｇ／ｍ２以上であることが更に好ましく、０．４ｇ／ｍ２以上であることが一層好ましい。また、２０ｇ／ｍ２以下であることが好ましく、１５ｇ／ｍ２以下であることが更に好ましく、１２ｇ／ｍ２以下であることが一層好ましい。吸収性物品用シートにおける有機溶媒の存在量は０．１ｇ／ｍ２以上２０ｇ／ｍ２以下であることが好ましく、０．２ｇ／ｍ２以上１５ｇ／ｍ２以下であることが更に好ましく、０．４ｇ／ｍ２以上１２ｇ／ｍ２以下であることが一層好ましい。この存在量は、有機溶媒が局所的に存在している場合であっても、吸収性物品用シートの全面積を基準として算出されるものである。
【００１８】
抗菌剤の使用量と有機溶媒の使用量との比率は、抗菌剤の質量に対して有機溶媒の質量が４倍以上であることが好ましく、５倍以上であることが更に好ましく、８倍以上であることが一層好ましい。また、１０００倍以下であることが好ましく、１００倍以下であることが更に好ましく、５０倍以下であることが一層好ましい。抗菌剤の質量に対して有機溶媒の質量は、４倍以上１０００倍以下であることが好ましく、５倍以上１００倍以下であることが更に好ましく、８倍以上５０倍以下であることが一層好ましい。両者の比率をこの範囲内に設定することで、抗菌剤の溶解性及び抗菌剤溶液の塗布しやすさが良好になり、また、噴霧時や散布時の均一塗布性が向上する点から好ましい。
【００１９】
本発明においては、吸収性物品用シートが抗菌剤及び有機溶媒を含有することに代えて、又はこれに加えて吸収性コアが抗菌剤及び有機溶媒を含有する実施形態を採用することもできる。この実施形態の場合、吸収性コアにおける抗菌剤の存在量は０．０１ｇ／ｍ２以上であることが好ましく、０．０５ｇ／ｍ２以上であることが更に好ましく、０．１ｇ／ｍ２以上であることが一層好ましい。また、１０．０ｇ／ｍ２以下であることが好ましく、５．０ｇ／ｍ２以下であることが更に好ましく、２．０ｇ／ｍ２以下であることが一層好ましい。吸収性コアにおける抗菌剤の存在量は０．０１ｇ／ｍ２以上１０．０ｇ／ｍ２以下であることが好ましく、０．０５ｇ／ｍ２以上５．０ｇ／ｍ２以下であることが更に好ましく、０．１ｇ／ｍ２以上２．０ｇ／ｍ２以下であることが一層好ましい。この存在量は、抗菌剤が局所的に存在している場合であっても、吸収性コアの全面積を基準として算出されるものである。
【００２０】
一方、吸収性コアにおける有機溶媒の存在量は０．０１ｇ／ｍ２以上であることが好ましく、０．０２ｇ／ｍ２以上であることが更に好ましく、０．０５ｇ／ｍ２以上であることが一層好ましい。また、１０ｇ／ｍ２以下であることが好ましく、５ｇ／ｍ２以下であることが更に好ましく、３ｇ／ｍ２以下であることが一層好ましい。吸収性コアにおける有機溶媒の存在量は０．０１ｇ／ｍ２以上１０ｇ／ｍ２以下であることが好ましく、０．０２ｇ／ｍ２以上５ｇ／ｍ２以下であることが更に好ましく、０．０５ｇ／ｍ２以上３ｇ／ｍ２以下であることが一層好ましい。この存在量は、有機溶媒が局所的に存在している場合であっても、吸収性コアの全面積を基準として算出されるものである。
【００２１】
吸収性コアに抗菌剤及び有機溶媒が含有される場合、抗菌剤の使用量と有機溶媒の使用量との比率は、吸収性物品用シートに抗菌剤及び有機溶媒が含有される場合の両者の比率と同様とすることができる。
【００２２】
吸収性コアは水を含んでいてもよいが、水の含有量は、吸収性コアの質量に対して１０質量％以下とすることが好ましい。この理由は、先に述べたとおりである。１０質量％以下の水の含有量は、周囲環境下に吸収性コアを置いたときに周囲環境から不可避的に自然に吸収される水の量に概ね等しい。吸収性コアに含まれる水の量は、上述した吸収性物品用シートに含まれる水の量と同様の方法によって測定される。
【００２３】
抗菌剤が吸収性物品用シート及び吸収性コアのどちらに含有される場合であっても、抗菌剤としては、有機化合物が用いられることが好ましい。有機抗菌剤は、酸化亜鉛や銀含有抗菌剤等の無機抗菌剤に比べて抗菌効果が高いからである。また抗菌剤としては、疎水性のものが用いられることが好ましい。疎水性抗菌剤は、親水性抗菌剤に比べて皮膚刺激性が低いからである。親水性抗菌剤は、親水性であるがゆえに皮膚に浸透しやすく、そのことに起因して皮膚に刺激を与えやすい。これとは対照的に、疎水性抗菌剤は、疎水性であるがゆえに皮膚に浸透しづらく、皮膚の表面にとどまりやすいので、皮膚に刺激を与えづらい。抗菌剤が疎水性であるとは、２５℃の水に対する溶解度が４０ｇ以下であることを言い、好ましくは１０ｇ以下、更に好ましくは１ｇ以下であることを言う。抗菌剤の溶解度は次の方法によって測定することができる。２５℃の純水１００ｇに対して、十分乾燥させた抗菌剤を投入し、スターラー又は振とう機で撹拌して溶解させ、１時間撹拌しても溶解できない直前の投入量を、当該抗菌剤の２５℃の水に対する溶解度とする。
【００２４】
以上のとおり、本発明では有機疎水性抗菌剤を用いることが好ましい。有機疎水性抗菌剤としては、例えば以下の式（１）又は（２）で表される有機化合物を用いることが好ましい。これらの有機化合物は、抗菌効果が高く、かつ皮膚刺激性が低いからである。これらの有機化合物は１種を単独で、又は２種以上を組み合わせて用いることができる。
【００２５】
【化１】
2017070515.tif 000002
【００２６】
式（１）で表される有機疎水性抗菌剤において、Ｒ１及びＲ２における炭素数は、メチル基、エチル基を除き、それぞれ独立に６以上であることが好ましく、８以上であることが更に好ましく、１０以上であることが一層更に好ましく、また２４以下であることが好ましく、２２以下であることが更に好ましく、２０以下であることが一層更に好ましい。具体的には、６以上２４以下であることが好ましく、８以上２２以下であることが更に好ましく、１０以上２０以下であることが一層更に好ましい。
【００２７】
式（１）で表される有機疎水性抗菌剤において、Ｒ３及びＲ４における炭素数は、メチル基、エチル基を除き、それぞれ独立に６以上であることが好ましく、８以上であることが更に好ましく、１０以上であることが一層更に好ましく、
また３０以下であることが好ましく、２４以下であることが更に好ましいく、２２以下であることが一層更に好ましい。具体的には、６以上３０以下であることが好ましく、８以上２４以下であることが更に好ましく、１０以上２２以下であることが一層更に好ましい。
【００２８】
式（１）で表される有機疎水性抗菌剤において、Ｒ３及び／又はＲ４がアルキルアルキレンオキサイド基である場合、該基におけるアルキル基の炭素数は、６以上であることが好ましく、８以上であることが更に好ましく、また２４以下であることが好ましく、２２以下であることが更に好ましい。具体的には、６以上２４以下であることが好ましく、８以上２２以下であることが更に好ましい。アルキルアルキレンオキサイド基におけるアルキレン基の炭素数は、２以上であることが更に好ましく、また６以下であることが好ましく、４以下であることが更に好ましい。具体的には、２以上６以下であることが好ましく、２以上４以下であることが更に好ましい。
【００２９】
【化２】
2017070515.tif 000003
【００３０】
式（２）で表される有機疎水性抗菌剤において、Ｒ５における炭素数は、１以上であることが好ましく、３以上であることが更に好ましく、６以上であることが一層更に好ましく、また３０以下であることが好ましく、２４以下であることが更に好ましく、２２以下であることが一層更に好ましい。具体的には、１以上３０以下であることが好ましく、３以上２４以下であることが更に好ましく、６以上２２以下であることが一層更に好ましい。
【００３１】
式（２）で表される有機疎水性抗菌剤において、Ｒ５がシクロアルキル基である場合、該基における炭素数は、６以上であることが好ましく、７以上であることが更に好ましく、また３０以下であることが好ましく、２４以下であることが更に好ましい。具体的には、６以上３０以下であることが好ましく、７以上２４以下であることが更に好ましい。
【００３２】
式（２）で表される有機疎水性抗菌剤において、Ｒ５がアリール基である場合、該基は、フェニル基、炭素数１〜１８のアルキル基で置換されたフェニル基、ベンジル基、炭素数１以上１８以下のアルキル基で置換されたベンジル基、炭素数７以上２４以下のフェノキシアルキル基であることが好ましい。
【００３３】
式（２）で表される有機疎水性抗菌剤において、Ｒ５がアルキルアルキレンオキサイド基である場合、該基におけるアルキル基の炭素数は、６以上であることが更に好ましく、また２４以下であることが好ましく、２２以下であることが更に好ましい。具体的には、６以上２４以下であることが好ましく、６以上２２以下であることが更に好ましい。アルキルアルキレンオキサイド基におけるアルキレン基の炭素数は、２以上であることが更に好ましく、また６以下であることが好ましく、４以下であることが更に好ましい。具体的には、２以上６以下であることが好ましく、２以上４以下であることが更に好ましい。
【００３４】
式（２）で表される有機疎水性抗菌剤において、Ｒ６における炭素数は、１以上であることが好ましく、また６以下であることが好ましく、４以下であることが更に好ましい。具体的には、１以上６以下であることが好ましく、１以上４以下であることが更に好ましい。
【００３５】
式（２）で表される有機疎水性抗菌剤において、Ｒ６がシクロアルキル基である場合、該基はシクロペンチル基、シクロヘキシル基であることが更に好ましい。
【００３６】
式（２）で表される有機疎水性抗菌剤において、Ｘ＋がアルカリ金属イオンである場合、その例としては、リチウムイオン、ナトリウムイオン及びカリウムイオンが挙げられる。Ｘ＋がアルカリ土類金属イオンである場合、その例としては、マグネシウムイオン、カルシウムイオン及びストロンチウムイオンが挙げられる。Ｘ＋が２価以上４価以下のカチオンである場合、その例としては、エタノールアミン、ジエタノールアミン、トリエタノールアミン、Ｎ置換エタノールアミン、Ｎ置換ジエタノールアミン、トリスヒドロキシアミノメタン、グアニジン、エチレンジアミン、ヘキサメチレンジアミン、ヘキサメチレンテトラミン等のアミンのプロトン塩（アミンにＨ＋が付加したもの）が挙げられる。
【００３７】
式（１）で表される有機疎水性抗菌剤の具体例としては、セチルリン酸ベンザルコニウムが挙げられる。セチルリン酸ベンザルコニウムとしては、花王株式会社より商品名サニゾールＰとして販売されている抗菌剤を用いることができる。一方、式（２）で表される有機疎水性抗菌剤の具体例としては、１−ヒドロキシ−４−メチル−６−（２，４，４−トリメチルペンチル）−２（１Ｈ）−ピリドン  モノエタノールアミン塩〔1-Hydroxy-4-methyl-6-(2,4,4-trimethyl-pentyl)-2(1H)-pyridone; combination with 2-aminoethanol(1:1)〕（ＣＡＳ登録番号６８８９０−６６−４、別名ピロクトンオラミン）が挙げられる。この抗菌剤は式（２Ａ）で表され、クラリアント社により商品名オクトピロックスとして販売されている
【００３８】
【化３】
2017070515.tif 000004
【００３９】
前記以外の有機疎水性抗菌剤としては、例えば５−クロロ−２−［２，４−ジクロロフェノキシ］フェノールが挙げられる。この化合物はトリクロサンとも呼ばれている。
【００４０】
有機疎水性抗菌剤を基材シート及び／又は吸収性コアに付着させることを目的として、本発明においては、有機疎水性抗菌剤を有機溶媒に溶解して抗菌剤溶液となし、この抗菌剤溶液を基材シート及び／又は吸収性コアに含有させる工程を採用することが好ましい。抗菌剤溶液は、有機疎水性抗菌剤を完全溶解している溶液であることが好ましい。未溶解の有機疎水性抗菌剤が抗菌剤溶液に存在している場合には、そのような抗菌剤溶液を基材シート及び／又は吸収性コアに含有させると、有機疎水性抗菌剤が不均一に付着してしまう可能性がある。
【００４１】
抗菌剤溶液に含まれる有機溶媒は２５℃において液体のものであることが好ましい。有機溶媒としては、有機疎水性抗菌剤を溶解し得るものが用いられる。特に、有機疎水性抗菌剤の溶解度が好ましくは５質量％以上、更に好ましくは１０質量％以上、一層好ましくは１５質量％以上である有機溶媒を用いることが有利である。ここで、溶解度がＸ質量％であるとは、１００ｇの有機溶媒に対してＸｇ以上の有機疎水性抗菌剤が溶解することをいう。有機疎水性抗菌剤の溶解度が温度に依存して変化する場合には、抗菌剤溶液を基材シート及び／又は吸収性コアに含有させるときの温度における溶解度が上述のとおりであることが好ましい。
【００４２】
有機疎水性抗菌剤の溶解性を十分に確保する観点から、有機溶媒はその溶解度パラメータが１２以上であることが好ましく、１３以上であることが更に好ましく、１３．５以上であることが一層好ましく、１４以上であることが更に一層好ましい。また溶解度パラメータは２８以下であることが好ましく、２７以下であることが更に好ましく、２６以下であることが一層好ましく、２５以下であることが更に一層好ましい。具体的には、溶解度パラメータは１２以上２８以下であることが好ましく、１３以上２７以下であることが更に好ましく、１３．５以上２６以下であることが一層好ましく、１４以上２５以下であることが更に一層好ましいい。溶解度パラメータとは、Fedorsの方法［R.F.Fedors, Polym. Eng. Sci., 14, 147(1974)］により計算され、単位は（ｃａｌ／ｃｍ3）1/2で表されるものである。溶解度パラメータは、有機疎水性抗菌剤と有機溶媒との親和性を表す指標の一つであり、この値が近いほど両者の相溶性が高いことを示す。
【００４３】
有機溶媒の溶解度パラメータδは次式で求められる。
δ＝（ΔＥ／Ｖ）1/2      （ｃａｌ／ｃｍ3）1/2
式中、ΔＥは蒸発エネルギーを表し、Ｖはモル体積を表す。
【００４４】
２種類以上の有機溶媒を用いる場合には、以下に示す混合物の溶解度パラメータδmixが、上述の値以上であることが好ましい。
δmix＝Σδiφi         （ｃａｌ／ｃｍ3）1/2
式中、δiは混合物を構成する各有機溶媒の溶解度パラメータを表し、φはその成分の体積分率を表す。
【００４５】
有機溶媒は、揮発性が低いことが好ましい。揮発性の高い有機溶媒を用いると、吸収性物品用シート及び／又は吸収性コアの製造過程において有機溶媒が揮発することがあるので、製造設備に排気装置を付設する必要が生じてしまう。これに対して揮発性の低い有機溶媒を用いれば、そのような装置の付設は不要である。また揮発性の高い有機溶媒は、引火や爆発のおそれがあることから、製造装置に防爆装置を付設する必要があるが、揮発性の低い有機溶媒を用いれば、そのような装置の付設も不要である。このように、揮発性の低い有機溶媒を用いることで、抗菌剤溶液を基材シート及び／又は吸収性コアに含有させた後、有機溶媒を吸収性物品用シート及び／又は吸収性物品中（吸収性コア中）に残留させたままにしておくことができる。
【００４６】
以上の観点から、有機溶媒は、２５℃における蒸気圧が３０Ｐａ以下であることが好ましい。２５℃における蒸気圧が３０Ｐａ以下である有機溶媒を、本発明においては「不揮発性の有機溶媒」と呼ぶこととする。特に、有機溶媒は２５℃における蒸気圧が、２０Ｐａ以下であることが更に好ましく、１５Ｐａ以下であることが一層好ましく、１０Ｐａ以下であることが更に一層好ましい。
【００４７】
吸収性物品用シート及び／又は吸収性コアの製造過程における安全性の確保の観点から、有機溶媒はその引火点が高いことが好ましい。引火点の高い有機溶媒を用いることで、簡易な設備で吸収性物品用シート及び／又は吸収性コアを製造することができる。有機溶媒の引火点は、具体的には１００℃以上であることが好ましく、１０５℃以上であることが更に好ましく、１１０℃以上であることが一層好ましく、１１５℃以上であることが更に一層好ましい。引火点とは、可燃性蒸気が爆発下限値の濃度に達する液温のことであり、ＪＩＳ  Ｋ２２６５  クリーブランド開放式引火点測定試験に準じて測定される。
【００４８】
吸収性物品用シート及び／又は吸収性コアの製造過程における有機溶媒のハンドリング性を良好なものとする観点から、該有機溶媒は、その分子量が低いことが好ましい。有機溶媒が高分子量になると、その粘度が上昇しハンドリング性が低下する傾向にある。有機溶媒の分子量は、具体的には２００未満であることが好ましく、１５０未満であることが更に好ましく、１００未満であることが一層好ましく、９１未満であることが更に一層好ましい。
【００４９】
分子量と同様の観点から、有機溶媒は適切な粘度を有しハンドリング性が良好であることが好ましい。有機溶媒が過度に高粘度であるとハンドリング性が低下する傾向にある。逆に過度に低粘度であると、有機溶媒が基材シート及び／又は吸収性コアに定着しづらくなり、有機疎水性抗菌剤を基材シート及び／又は吸収性コアに均一に付与しづらくなる。これらの観点から、有機溶媒は、２５℃における粘度が、５ｍＰａ・ｓ以上であることが好ましく、１０ｍＰａ・ｓ以上であることが更に好ましく、３０ｍＰａ・ｓ以上であることが一層好ましく、６０ｍＰａ・ｓ以上であることが更に一層好ましい。また有機溶媒は、２５℃における粘度が、１５００ｍＰａ・ｓ以下であることが好ましく、５００ｍＰａ・ｓ以下であることが更に好ましく、３００ｍＰａ・ｓ以下であることが一層好ましく、９０ｍＰａ・ｓ以下であることが更に一層好ましい。具体的には、有機溶媒は、２５℃における粘度が、５ｍＰａ・ｓ以上１５００ｍＰａ・ｓ以下であることが好ましく、１０ｍＰａ・ｓ以上５００ｍＰａ・ｓ以下であることが更に好ましく、３０ｍＰａ・ｓ以上３００ｍＰａ・ｓ以下であることが一層好ましく、６０ｍＰａ・ｓ以上９０ｍＰａ・ｓ以下であることが更に一層好ましい。有機溶媒の粘度は、２５℃において、東機産業株式会社製Ｂ形やＴＶＢ形粘度計によって測定することができる。ここで、有機溶媒が親水性であるとは、２５℃の水に対する有機溶媒の溶解度が１０質量％以上であることを言う。有機溶媒の溶解度は次の方法によって測定することができる。２５℃の純水１００ｇに対して、有機溶媒を投入し、スターラー又は振とう機で撹拌して溶解させ、１０分撹拌しても溶解できない直前の投入量を、当該抗菌剤の２５℃の水に対する溶解度とする。
【００５０】
有機溶媒として用いられる好ましい化合物としては、親水性を有するものが好適に挙げられる。例えば二価アルコール（ジオール）、三価アルコール（トリオール）及び四価以上のアルコールなどの多価アルコールのような水溶性有機溶媒が挙げられる。これら多価アルコールにおけるアルキル基の炭素数は、２以上であることが好ましい。また、アルキル基の炭素数は、１８以下であることが好ましく、１０以下であることが更に好ましく、４以下であることが一層好ましい。具体的には、アルキル基の炭素数は、２以上１８以下であることが好ましく、２以上１０以下であることが更に好ましく、２以上４以下であることが一層好ましい。有機溶媒は、特に、上述した親水性を有することに加えて、上述した不揮発性を有することが好ましい。
【００５１】
特に多価アルコールのうち、炭素数が２以上４以下である低級二価アルコールを用いることが好ましい。具体的には、エチレングリコール、プロピレングリコール、及びブチレングリコールからなる群から選ばれる少なくとも１種の親水性有機溶媒を用いることが好ましい。これらの親水性有機溶媒は、人体に対する安全性が高く、悪臭を生じることがなく、除去工程が不要であり、引火や爆発のおそれが低いからである。プロピレングリコールとしては、１，２−プロピレングリコール及び１，３−プロピレングリコールを用いることができる。ブチレングリコールとしては、１，３−ブチレングリコール、１，４−ブチレングリコール及び２，３−ブチレングリコールを用いることができる。
【００５２】
抗菌剤溶液における有機疎水性抗菌剤の濃度は、０．５質量％以上であることが好ましく、１質量％以上であることが更に好ましく、３質量％以上であることが一層好ましく、５質量％以上であることが更に一層好ましい。また、抗菌剤溶液における有機疎水性抗菌剤の濃度は、５０質量％以下であることが好ましく、３５質量％以下であることが更に好ましく、２５質量％以下であることが一層好ましく、２０質量％以下であることが更に一層好ましい。具体的には、抗菌剤溶液における有機疎水性抗菌剤の濃度は、０．５質量％以上５０質量％以下であることが好ましく、１質量％以上３５質量％以下であることが更に好ましく、３質量％以上２５質量％以下であることが一層好ましく、５質量％以上２０質量％以下であることが更に一層好ましい。この濃度範囲の抗菌剤溶液を用いることで、有機疎水性抗菌剤を基材シート及び／又は吸収性コアに均一に付着させることができる。なお、上述のとおり、抗菌剤溶液に水が含まれていることは許容されるが、水の含有量は８質量％以下とすることが好ましい。
【００５３】
抗菌剤溶液を基材シート及び／又は吸収性コアに施すときの両者の比率は、得られる吸収性物品用シート及び／又は吸収性コアの全面積を基準として、抗菌剤溶液に含まれる有機疎水性抗菌剤及び有機溶媒の坪量がそれぞれ上述した範囲となるようにすることが好ましい。抗菌剤溶液と基材シート及び／又は吸収性コアとをこのような比率で混合することで、有機疎水性抗菌剤を基材シート及び／又は吸収性コアに均一に付着させることができる。また、両者を混合した後に、抗菌剤溶液中の有機溶媒を吸収性物品用シート及び／又は残留させたままにしても、得られる吸収性物品用シート及び／又は吸収性コアの取り扱い性、特に流動性を良好にすることができる。
【００５４】
抗菌剤溶液を基材シート及び／又は吸収性コアに施す方法としては、例えば部分的に施す場合には滴下法を採用することができる。全面に施す場合には噴霧法を採用することができる。その他、各種の印刷法や、抗菌剤溶液に浸漬させる方法などを採用することもできる。
【００５５】
抗菌剤溶液を基材シート及び／又は吸収性コアに施した後は、必要に応じ加熱や減圧等の手段によって有機溶媒を除去してもよい。もちろん有機溶媒を除去せずに残留させておいてもよい。有機溶媒を除去しないことは、簡易設備で目的とする部材が製造できる観点から有利である。
【００５６】
以上のとおりの手順で、目的とする吸収性物品用シート及び吸収性コアが得られる。このようにして得られた吸収性物品用シート及び吸収性コアにおいては、抗菌剤溶液が部分的に施されている状態であっても、これらの部材と尿等の体液とが接触すると、抗菌剤溶液が体液と一緒にこれらの部材中を拡散して、これらの部材の全域において高い抗菌効果が発現する。特に吸収性物品用シートを、吸収性コアを被覆するコアラップシートとして用いた場合には、該コアラップシートが体液と接触すると、抗菌剤溶液が体液と一緒にコアラップシート中を拡散し、更には吸収性コア中も拡散するので、吸収体の全域にわたって高い抗菌効果が発現する。これとは対照的に、抗菌剤を粉末状態でこれらの部材に付与しても、該抗菌剤は体液と一緒に部材中を拡散しづらいので、本発明で奏される高い抗菌効果は得られない。
【００５７】
本発明の吸収性物品用シート及び／又は吸収性コアを有する吸収性物品は、典型的には、着用時に着用者の肌と接触し得る液透過性の表面シートと、液不透過性ないし撥水性の裏面シートと、これら両シート間に介在配置された液保持性の吸収体とを具備している。表面シートとしては、各種の不織布又は多孔質の合成樹脂シート等を用いることができ、裏面シートとしては、ポリエチレン、ポリプロピレン、ポリ塩化ビニル等からなる合成樹脂フィルム、又は合成樹脂フィルムと不織布との複合材料等を用いることができる。吸収性物品は更に、該吸収性物品の具体的な用途に応じた各種部材を具備していてもよい。そのような部材は当業者に公知である。例えば吸収性物品を使い捨ておむつや生理用ナプキンに適用する場合には、表面シート上の左右両側部に一対又は二対以上の立体ガードを配置することができる。
【００５８】
上述した実施形態に関し、本発明は更に以下の吸収性物品用シート、吸収性物品用シートの製造方法、吸収性物品及び吸収性物品の製造方法を開示する。
＜１＞
有機疎水性抗菌剤と、親水性かつ不揮発性の有機溶媒と、８質量％以下の水とを含む抗菌剤溶液をシートに含有させる工程を有する吸収性物品用シートの製造方法。
【００５９】
＜２＞
有機疎水性抗菌剤と、親水性かつ不揮発性の有機溶媒と、３０質量％以下の水とを含む抗菌剤溶液をシートに含有させた後、乾燥させる工程を有する吸収性物品用シートの製造方法。
＜３＞
前記有機疎水性抗菌剤が疎水性であるとは、２５℃の水に対する溶解度が４０ｇ以下であり、好ましくは１０ｇ以下、更に好ましくは１ｇ以下である前記＜１＞又は＜２＞に記載の吸収性物品用シートの製造方法。
＜４＞
前記有機溶媒が親水性であるとは、２５℃の水に対する溶解度が１０質量％以上である前記＜１＞ないし＜３＞のいずれか１に記載の吸収性物品用シートの製造方法。
＜５＞
前記有機溶媒が不揮発性であるとは、２５℃における蒸気圧が３０Ｐａ以下であり、好ましくは２０Ｐａ以下、更に好ましくは１５Ｐａ以下、一層好ましくは１０Ｐａ以下である前記＜１＞ないし＜４＞のいずれか１に記載の吸収性物品用シートの製造方法。
＜６＞
前記抗菌剤溶液を前記シートに含有させた後、
前記親水性かつ不揮発性の有機溶媒を前記シートに残留させたままにしておく前記＜１＞ないし＜５＞のいずれか１に記載の吸収性物品用シートの製造方法。
【００６０】
＜７＞
前記有機疎水性抗菌剤は、以下の式（１）若しくは（２）で表される有機化合物、又はトリクロサンである前記＜１＞ないし＜６＞のいずれか１に記載の吸収性物品用シートの製造方法。
【化４】
2017070515.tif 000005
【化５】
2017070515.tif 000006
＜８＞
前記親水性かつ不揮発性の有機溶媒が、プロピレングリコール、エチレングリコール、及びブチレングリコールからなる群から選ばれる少なくとも１種の有機溶媒である前記＜１＞ないし＜７＞のいずれか１に記載の吸収性物品用シートの製造方法。
＜９＞
抗菌剤溶液を、滴下法によってシートに部分的に施すか、噴霧法によってシートの全面に施すか、各種の印刷法によってシートに施すか、又はシートを抗菌剤溶液に浸漬させる前記＜１＞ないし＜８＞のいずれか１に記載の吸収性物品用シートの製造方法。
＜１０＞
前記＜１＞ないし＜９＞のいずれか１に記載の吸収性物品用シートの製造方法で製造された吸収性物品用シート。
＜１１＞
有機疎水性抗菌剤と、親水性かつ不揮発性の有機溶媒と、１０質量％以下の水とを含む吸収性物品用シート。
【００６１】
＜１２＞
抗菌剤が疎水性であるとは、２５℃の水に対する溶解度が好ましくは４０ｇ以下であり、好ましくは１０ｇ以下、更に好ましくは１ｇ以下である前記＜１１＞に記載の吸収性物品用シート。
＜１３＞
前記有機溶媒が親水性であるとは、２５℃の水に対する溶解度が１０質量％以上である前記＜１１＞又は＜１２＞に記載の吸収性物品用シート。
＜１４＞
前記有機溶媒が不揮発性であるとは、２５℃における蒸気圧が３０Ｐａ以下であり、好ましくは２０Ｐａ以下、更に好ましくは１５Ｐａ以下、一層好ましくは１０Ｐａ以下である前記＜１１＞ないし＜１３＞のいずれか１に記載の吸収性物品用シート。
＜１５＞
前記有機疎水性抗菌剤を０．０２ｇ／ｍ２以上含み、
前記有機疎水性抗菌剤の存在量は０．０２ｇ／ｍ２以上であることが好ましく、０．０４ｇ／ｍ２以上であることが更に好ましく、０．０５ｇ／ｍ２以上であることが一層好ましく、また、０．５ｇ／ｍ２以下であることが好ましく、０．４ｇ／ｍ２以下であることが更に好ましく、０．３ｇ／ｍ２以下であることが一層好ましい前記＜１０＞ないし＜１４＞のいずれか１に記載の吸収性物品用シート。
＜１６＞
前記有機溶媒を、前記有機疎水性抗菌剤の質量の４倍以上１０００倍以下の割合で含み、
前記抗菌剤の使用量と前記有機溶媒の使用量との比率は、該抗菌剤の質量に対して該有機溶媒の質量が４倍以上であることが好ましく、５倍以上であることが更に好ましく、８倍以上であることが一層好ましい。また、１０００倍以下であることが好ましく、１００倍以下であることが更に好ましく、５０倍以下であることが一層好ましい前記＜１０＞ないし＜１５＞のいずれか１に記載の吸収性物品用シート。
【００６２】
＜１７＞
吸収性物品用シートが基材シートから構成され、該基材シートは繊維シートや、フィルムに複数の貫通孔を形成した穿孔シートであることが好ましく、繊維シートとしては、紙、不織布、織布、織物地、又はそれらの複合材が好ましい前記＜１０＞ないし＜１６＞のいずれか１に記載の吸収性物品用シート。
＜１８＞
前記有機疎水性抗菌剤は、以下の式（１）若しくは（２）で表される有機化合物、又はトリクロサンである前記＜１０＞ないし＜１７＞のいずれか１に記載の吸収性物品用シート。
【化６】
2017070515.tif 000007
【化７】
2017070515.tif 000008
＜１９＞
前記有機疎水性抗菌剤が、セチルリン酸ベンザルコニウム又はピロクトンオラミンである前記＜１０＞ないし＜１８＞のいずれか１に記載の吸収性物品用シート。
＜２０＞
前記有機溶媒として、前記有機疎水性抗菌剤を溶解し得るものが用いられ、特に、該有機疎水性抗菌剤の溶解度が好ましくは５質量％以上、更に好ましくは１０質量％以上、一層好ましくは１５質量％以上である該有機溶媒を用いる前記＜１０＞ないし＜１９＞のいずれか１に記載の吸収性物品用シート。
＜２１＞
前記有機溶媒はその溶解度パラメータが１２以上であることが好ましく、１３以上であることが更に好ましく、１３．５以上であることが一層好ましく、１４以上であることが更に一層好ましい。また溶解度パラメータは２８以下であることが好ましく、２７以下であることが更に好ましく、２６以下であることが一層好ましく、２５以下であることが更に一層好ましい前記＜１０＞ないし＜２０＞のいずれか１に記載の吸収性物品用シート。
【００６３】
＜２２＞
有機溶媒として多価アルコールが用いられ、
多価アルコールのうち、炭素数が２以上４以下である低級二価アルコールを用いることが好ましく、
具体的には、エチレングリコール、プロピレングリコール、及びブチレングリコールからなる群から選ばれる少なくとも１種の親水性有機溶媒を用いることが好ましい前記＜１０＞ないし＜２１＞のいずれか１に記載の吸収性物品用シート。
＜２３＞
プロピレングリコールは、１，２−プロピレングリコール及び１，３−プロピレングリコールから選ばれるからなる群から選ばれる少なくとも１種の有機溶媒であることが好ましく、
ブチレングリコールは、１，３−ブチレングリコール、１，４−ブチレングリコール及び２，３−ブチレングリコールから選ばれるからなる群から選ばれる少なくとも１種の有機溶媒であることが好ましい前記＜２２＞に記載の吸収性物品用シート。
＜２４＞
吸収性コアと、該吸収性コアの肌対向面側に配されるコアラップシートと、該コアラップシートの肌対向面側に配される表面シートとを有し、
前記コアラップシートとして前記＜１０＞ないし＜２３＞のいずれか１に記載の吸収性物品用シートを用いた吸収性物品。
＜２５＞
有機疎水性抗菌剤を親水性かつ不揮発性の有機溶媒に溶解してなる抗菌剤溶液を、吸収性コアに含有させる工程を有する吸収性物品の製造方法。
＜２６＞
前記有機疎水性抗菌剤が疎水性であるとは、２５℃の水に対する溶解度が４０ｇ以下であり、好ましくは１０ｇ以下、更に好ましくは１ｇ以下である前記＜２５＞に記載の吸収性物品の製造方法。
【００６４】
＜２７＞
前記有機溶媒が親水性であるとは、２５℃の水に対する溶解度が１０質量％以上である前記＜２５＞又は＜２６＞に記載の吸収性物品の製造方法。
＜２８＞
前記有機溶媒が不揮発性であるとは、２５℃における蒸気圧が３０Ｐａ以下であり、好ましくは２０Ｐａ以下、更に好ましくは１５Ｐａ以下、一層好ましくは１０Ｐａ以下である前記＜２５＞ないし＜２７＞のいずれか１に記載の吸収性物品の製造方法。
＜２９＞
前記抗菌剤溶液が水を含んでおり、水の含有量が該抗菌剤溶液の質量に対して８質量％以下である前記＜２５＞ないし＜２８＞のいずれか１に記載の吸収性物品の製造方法。
＜３０＞
前記抗菌剤溶液を前記吸収性コアに含有させた後、
前記親水性かつ不揮発性の有機溶媒を前記吸収性コアに残留させたままにしておく前記＜２５＞ないし＜２９＞のいずれか１に記載の吸収性物品の製造方法。
＜３１＞
前記有機疎水性抗菌剤は、以下の式（１）若しくは（２）で表される有機化合物、又はトリクロサンである好ましい前記＜２５＞ないし＜３０＞のいずれか１に記載の吸収性物品の製造方法。
【化８】
2017070515.tif 000009
【化９】
2017070515.tif 000010
【００６５】
＜３２＞
前記親水性かつ不揮発性の有機溶媒が、プロピレングリコール、エチレングリコール、及びブチレングリコールからなる群から選ばれる少なくとも１種の有機溶媒である前記＜２５＞ないし＜３１＞のいずれか１に記載の吸収性物品の製造方法。
＜３３＞
抗菌剤溶液を、滴下法によって吸収性コアに部分的に施すか、噴霧法によって吸収性コアの全面に施すか、各種の印刷法によって吸収性コアに施すか、又は吸収性コアを抗菌剤溶液に浸漬させる前記＜２５＞ないし＜３２＞のいずれか１に記載の吸収性物品の製造方法。
＜３４＞
前記＜２５＞ないし＜３３＞のいずれか１に記載の吸収性物品の製造方法で製造された吸収性物品。
＜３５＞
有機疎水性抗菌剤と、親水性かつ不揮発性の有機溶媒とを含有する吸収性コアを含む吸収性物品。
＜３６＞
前記疎水性抗菌剤が疎水性であるとは、２５℃の水に対する溶解度が４０ｇ以下であり、好ましくは１０ｇ以下、更に好ましくは１ｇ以下である前記＜３４＞又は＜３５＞に記載の吸収性物品。
【００６６】
＜３７＞
前記有機溶媒が親水性であるとは、２５℃の水に対する溶解度が１０質量％以上である前記＜３４＞ないし＜３６＞のいずれか１に記載の吸収性物品。
＜３８＞
前記有機溶媒が不揮発性であるとは、２５℃における蒸気圧が３０Ｐａ以下であり、好ましくは２０Ｐａ以下、更に好ましくは１５Ｐａ以下、一層好ましくは１０Ｐａ以下である前記＜３４＞ないし＜３７＞のいずれか１に記載の吸収性物品。
＜３９＞
前記吸収性コアが水を含んでおり、水の含有量が、該吸収性コアの質量に対して１０質量％以下とすることが好ましい前記＜３４＞ないし＜３８＞のいずれか１に記載の吸収性物品。
＜４０＞
前記吸収性コアにおける前記有機疎水性抗菌剤の存在量は０．０１ｇ／ｍ２以上であることが好ましく、０．０５ｇ／ｍ２以上であることが更に好ましく、０．１ｇ／ｍ２以上であることが一層好ましく、また、１０．０ｇ／ｍ２以下であることが好ましく、５．０ｇ／ｍ２以下であることが更に好ましく、２．０ｇ／ｍ２以下であることが一層好ましい前記＜３４＞ないし＜３９＞のいずれか１に記載の吸収性物品。
＜４１＞
前記吸収性コアにおける前記有機溶媒の存在量は０．０１ｇ／ｍ２以上であることが好ましく、０．０２ｇ／ｍ２以上であることが更に好ましく、０．０５ｇ／ｍ２以上であることが一層好ましく、また、１０ｇ／ｍ２以下であることが好ましく、５ｇ／ｍ２以下であることが更に好ましく、３ｇ／ｍ２以下であることが一層好ましい前記＜３４＞ないし＜４０＞のいずれか１に記載の吸収性物品。
【００６７】
＜４２＞
前記有機疎水性抗菌剤の使用量と前記有機溶媒の使用量との比率は、該有機疎水性抗菌剤の質量に対して該有機溶媒の質量が４倍以上であることが好ましく、５倍以上であることが更に好ましく、８倍以上であることが一層好ましく、また、１０００倍以下であることが好ましく、１００倍以下であることが更に好ましく、５０倍以下であることが一層好ましい前記＜３４＞ないし＜４１＞のいずれか１に記載の吸収性物品。
＜４３＞
前記吸収性コアとして、例えばフラップパルプと吸水性ポリマーとの混合積繊体、吸収性ポリマーのみの堆積体、及びフラッフパルプのみの積繊体などが挙げられる前記＜３４＞ないし＜４２＞のいずれか１に記載の吸収性物品。
＜４４＞
前記有機疎水性抗菌剤は、以下の式（１）若しくは（２）で表される有機化合物、又はトリクロサンである前記＜３４＞ないし＜４３＞のいずれか１に記載の吸収性物品。
【化１０】
2017070515.tif 000011
【化１１】
2017070515.tif 000012
＜４５＞
前記有機疎水性抗菌剤が、セチルリン酸ベンザルコニウム又はピロクトンオラミンである前記＜３４＞ないし＜４４＞のいずれか１に記載の吸収性物品。
＜４６＞
前記有機溶媒として、前記有機疎水性抗菌剤を溶解し得るものが用いられ、特に、該有機疎水性抗菌剤の溶解度が好ましくは５質量％以上、更に好ましくは１０質量％以上、一層好ましくは１５質量％以上である該有機溶媒を用いる前記＜３４＞ないし＜４５＞のいずれか１に記載の吸収性物品。
【００６８】
＜４７＞
前記有機溶媒はその溶解度パラメータが１２以上であることが好ましく、１３以上であることが更に好ましく、１３．５以上であることが一層好ましく、１４以上であることが更に一層好ましい。また溶解度パラメータは２８以下であることが好ましく、２７以下であることが更に好ましく、２６以下であることが一層好ましく、２５以下であることが更に一層好ましい前記＜３４＞ないし＜４６＞のいずれか１に記載の吸収性物品。
＜４８＞
有機溶媒として多価アルコールが用いられ、
多価アルコールのうち、炭素数が２以上４以下である低級二価アルコールを用いることが好ましく、
具体的には、エチレングリコール、プロピレングリコール、及びブチレングリコールからなる群から選ばれる少なくとも１種の親水性有機溶媒を用いることが好ましい前記＜３４＞ないし＜４７＞のいずれか１に記載の吸収性物品。
＜４９＞
プロピレングリコールは、１，２−プロピレングリコール及び１，３−プロピレングリコールから選ばれるからなる群から選ばれる少なくとも１種の有機溶媒であることが好ましく、
ブチレングリコールは、１，３−ブチレングリコール、１，４−ブチレングリコール及び２，３−ブチレングリコールから選ばれるからなる群から選ばれる少なくとも１種の有機溶媒であることが好ましい前記＜４８＞に記載の吸収性物品。
【実施例】
【００６９】
以下、実施例により本発明を更に詳細に説明する。しかしながら本発明の範囲は、かかる実施例に制限されない。特に断らない限り、「％」及び「部」はそれぞれ「質量％」及び「質量部」を意味する。
【００７０】
〔実施例１〕
１）吸収性物品用シートの作製
坪量が１６ｇ／ｍ２であり、幅２００ｍｍ×長さ１７０ｍｍの薄葉紙に、有機疎水性抗菌剤と、有機溶媒と、８％以下の水を含む抗菌剤溶液（オクトピロックス：１％、プロピレングリコール：９９％）をスポイトを用いて１箇所につき０．１ｇを２箇所に滴下して薄葉紙に含有させた。抗菌剤溶液を含有させる位置は、長さ方向と平行に引いた中心線上であって、かつ該中心線の中点から３０ｍｍ離れた２箇所の位置とした。有機疎水性抗菌剤及び有機溶媒の種類、並びに薄葉紙へのトータルの添加量は表１に示すとおりとした。表１中、「ＰＧ」は「１，２−プロピレングリコール」を表す。「ＢＧ」は「１，３−ブチレングリコール」を表す。また「ｇｓｍ」は「ｇ／ｍ２」を表す。
２）吸収体の作製
吸収性物品用シートで吸収性コアを被覆して吸収体を製造した。吸収性コアは、フラッフパルプの坪量が１８０ｇ／ｍ２であり、高吸収性ポリマーの坪量が１６０ｇ／ｍ２である混合積繊体からなり、サイズは長さ１９０ｍｍ×幅７０ｍｍであり、質量が５．０ｇであった。
【００７１】
〔実施例２〕
抗菌剤溶液を含有させる位置を、長さ方向と平行に引いた中心線上であって、かつ該中心線の中点から２０ｍｍ及び６０ｍｍ離れた４箇所の位置とした。有機疎水性抗菌剤及び有機溶媒の種類、並びに薄葉紙へのトータルの添加量は表１に示すとおりとした。これら以外は実施例１と同様にした。
【００７２】
〔実施例３〕
１）吸収性物品用シートの準備
実施例１で用いた薄葉紙と同様の薄葉紙（幅２００ｍｍ×長さ１７０ｍｍ）を用いた。
２）吸収体の作製
フラッフパルプの坪量が１８０ｇ／ｍ２であり、高吸収性ポリマーの坪量が１６０ｇ／ｍ２である混合積繊体からなる吸収性コアを作成した。この吸収性コアのサイズは長さ１９０ｍｍ×幅７０ｍｍであり、質量が５．０ｇであった。この吸収性コアに、有機疎水性抗菌剤と、有機溶媒と、１０％以下の水を含む抗菌剤溶液を滴下して含有させた。抗菌剤溶液を含有させる位置は、吸収性コアの肌対向面における長さ方向と平行に引いた中心線上であって、かつ該中心線の中点上の１箇所の位置とした。有機疎水性抗菌剤及び有機溶媒の種類、並びに吸収性コアへのトータルの添加量は表１に示すとおりとした。この吸収性コアを、１）で準備した吸収性物品用シートで被覆して吸収体を製造した。
【００７３】
〔実施例４〕
抗菌剤溶液を含有させる位置を、吸収性コアの肌対向面における長さ方向と平行に引いた中央線上であって、かつ該中央線の中点上の１箇所の位置とした。有機疎水性抗菌剤及び有機溶媒の種類、並びに薄葉紙へのトータルの添加量は表１に示すとおりとした。これら以外は実施例１と同様にした。
【００７４】
〔実施例５〕
有機疎水性抗菌剤及び有機溶媒の種類、並びに薄葉紙へのトータルの添加量を表１に示すとおりとした。これら以外は実施例４と同様にした。
【００７５】
〔実施例６〕
坪量が１６ｇ／ｍ２であり、幅２００ｍｍ×長さ１７０ｍｍの薄葉紙に、有機疎水性抗菌剤と、有機溶媒と、３０％以下の水を含む抗菌剤溶液（オクトピロックス：１０％、プロピレングリコール：７０％、イオン交換水２０％）をスポイトを用いて１箇所につき０．１ｇを２箇所に滴下して薄葉紙に吸収させた後、１０５℃に設定した送風乾燥機に入れ３０分乾燥を行った。抗菌剤溶液を含有させる位置は、長さ方向と平行に引いた中心線上であって、かつ該中心線の中点から３０ｍｍ離れた２箇所の位置とした。有機疎水性抗菌剤及び有機溶媒の種類、並びに薄葉紙へのトータルの添加量は表１に示すとおりとした。
２）吸収体の作製
吸収性物品用シートで吸収性コアを被覆して吸収体を製造した。吸収性コアは、フラッフパルプの坪量が１８０ｇ／ｍ２であり、高吸収性ポリマーの坪量が１６０ｇ／ｍ２である混合積繊体からなり、サイズは長さ１９０ｍｍ×幅７０ｍｍであり、質量が５．０ｇであった。
【００７６】
〔実施例７〕
有機疎水性抗菌剤及び有機溶媒の種類、並びに薄葉紙へのトータルの添加量を表１に示すとおりとした。これら以外は実施例１と同様にした。
【００７７】
〔実施例８〕
１）吸収性物品用シートの準備
実施例１で用いた薄葉紙と同様の薄葉紙（幅２００ｍｍ×長さ１７０ｍｍ）を用いた。
２）吸収体の作製
フラッフパルプの坪量が１８０ｇ／ｍ２であり、高吸収性ポリマーの坪量が１６０ｇ／ｍ２である混合積繊体からなる吸収性コアを作成した。この吸収性コアのサイズは長さ１９０ｍｍ×幅７０ｍｍであり、質量が５．０ｇであった。この吸収性コアに、有機疎水性抗菌剤と、有機溶媒と、１０％以下の水を含む抗菌剤溶液を含有させた。抗菌剤溶液を含有させる位置は、吸収性コアの肌対向面における長さ方向と平行に引いた中心線上であって、かつ該中心線の中点上の１箇所の位置とした。有機疎水性抗菌剤及び有機溶媒の種類、並びに吸収性コアへのトータルの添加量は表１に示すとおりとした。この吸収性コアを、１）で準備した吸収性物品用シートで被覆して吸収体を製造した。
【００７８】
〔実施例９〕
１）吸収性物品用シートの準備
実施例１で用いた薄葉紙と同様の薄葉紙（幅２００ｍｍ×長さ１７０ｍｍ）を用いた。
２）吸収体の作製
フラッフパルプの坪量が１８０ｇ／ｍ２であり、高吸収性ポリマーの坪量が１６０ｇ／ｍ２である混合積繊体からなる吸収性コアを作成した。この吸収性コアのサイズは長さ１９０ｍｍ×幅７０ｍｍであり、質量が５．０ｇであった。この吸収性コアに、有機疎水性抗菌剤と、有機溶媒と、１０％以下の水を含む抗菌剤溶液を含有させた。抗菌剤溶液を含有させる位置は、吸収性コアの肌対向面における長さ方向と平行に引いた中心線上であって、かつ該中心線の中点から２０ｍｍ及び６０ｍｍ離れた４箇所の位置とした。有機疎水性抗菌剤及び有機溶媒の種類、並びに吸収性コアへのトータルの添加量は表１に示すとおりとした。この吸収性コアを、１）で準備した吸収性物品用シートで被覆して吸収体を製造した。
【００７９】
〔比較例１〕
本比較例は、実施例１において、抗菌剤溶液を含有させなかった薄葉紙を吸収性物品用シートとして用いた例である。これ以外は実施例１と同様にした。
【００８０】
〔比較例２〕
１）吸収性物品用シートの作製
幅２００ｍｍ×長さ１７０ｍｍの薄葉紙に、有機疎水性抗菌剤を散布後、スプレー糊を噴霧して該抗菌剤を固定化した。有機疎水性抗菌剤を散布した位置は、長さ方向と平行に引いた中心線上であって、かつ該中心線の中点上の１箇所の位置とした。有機疎水性抗菌剤の種類、及び薄葉紙への添加量は表１に示すとおりとした。
２）吸収体の作製
吸収性物品用シートで吸収性コアを被覆して吸収体を製造した。吸収性コアは、フラッフパルプの坪量が１８０ｇ／ｍ２であり、高吸収性ポリマーの坪量が１６０ｇ／ｍ２である混合積繊体からなり、サイズは長さ１９０ｍｍ×幅７０ｍｍであり、質量が５．０ｇであった。
【００８１】
〔比較例３〕
１）吸収性物品用シートの準備
実施例１で用いた薄葉紙と同様の薄葉紙（幅２００ｍｍ×長さ１７０ｍｍ）を用いた。
２）吸収体の作製
フラッフパルプの坪量が１８０ｇ／ｍ２であり、高吸収性ポリマーの坪量が１６０ｇ／ｍ２である混合積繊体からなる吸収性コアを作成した。この吸収性コアのサイズは長さ１９０ｍｍ×幅７０ｍｍであり、質量が５．０ｇであった。この吸収性コアに、有機疎水性抗菌剤を散布後、スプレー糊を噴霧して該抗菌剤を固定化した。有機疎水性抗菌剤を散布した位置は、長さ方向と平行に引いた中心線上であって、かつ該中心線の中点上の１箇所の位置とした。有機疎水性抗菌剤の種類、及び吸収性コアへの添加量は表１に示すとおりとした。この吸収性コアを、１）で準備した吸収性物品用シートで被覆して吸収体を製造した。
【００８２】
〔比較例４〕
幅２００ｍｍ×長さ１７０ｍｍの薄葉紙に、有機疎水性抗菌剤を散布後、スプレー糊を噴霧して該抗菌剤を固定化した。有機疎水性抗菌剤を散布した位置は、長さ方向と平行に引いた中心線上であって、かつ該中心線の中点から２０ｍｍ及び６０ｍｍ離れた４箇所の位置とした。有機疎水性抗菌剤の種類、及び薄葉紙への添加量は表１に示すとおりとした。これ以外は比較例２と同様とした。
【００８３】
〔比較例５〕
有機疎水性抗菌剤の種類、及び薄葉紙への添加量を表１に示すとおりとした。これ以外は比較例２と同様とした。
【００８４】
〔評価〕
実施例及び比較例で得られた吸収体について、尿臭の抑制についての官能評価を以下の手順で行った。その結果を表１に示す。
【００８５】
〔尿臭の抑制についての官能評価〕
＜Ａ＞次の（ａ）ないし（ｄ）の手順で、評価に用いる尿を準備した。
（ａ）坪量２０ｇ／ｍ２の不織布（抗菌、消臭等の特殊処理をしていないもの、サイズ：１０ｃｍ×１５ｃｍ）を準備した。
（ｂ）水で適度に湿らせた（ａ）の不織布を用いて４名のモニター（成人男性、入浴してから１２時間経過後の状態）それぞれが自身の下半身をよく拭き、肌常在菌と便由来の腸内細菌を採取した。
（ｃ）該モニター４名が採尿を行い、尿２．０ｇを（ｂ）の不織布に付着させ、ビニール袋に入れて密封し、３６℃雰囲気にて２４時間静置した。これにより（ｂ）の不織布における菌を増殖させた。
（ｄ）その後、各前記モニターが採取した尿５００ｇを混ぜ合わせ、そのうちの２０００ｇを共栓付三角フラスコに入れた。その中に（ｃ）菌を増殖させた不織布４枚を入れて、時折撹拌しながら２０分間浸漬した。
＜Ｂ＞次いで、（ｄ）の結果得られた５０ｇの尿を、実施例及び比較例で得られた吸収体の中央部に、溢れないように徐々に注入した。尿が注入された各吸収体をそれぞれ、蓋付のステンレス深型組バット３号（アズワン製）からなる容器に入れて密封した。各容器を恒温乾燥機に保管して３６℃になるように保温し６時間静置した。
６時間経過後の各容器を恒温乾燥機から取り出し、前記モニターとは別の５人のモニター（成人男女）に下記の基準で官能評価を行わせた。官能評価の具体的な方法は、まず恒温乾燥機から容器を取り出し、蓋を開けてから３０秒静置した。その後、鼻を容器に近づけて臭いを嗅ぎ、比較例１を５とした場合に、以下の基準で評価させた。数値の平均値及び中央値を算出し、各吸収体の官能評価の結果とした。
５：強い腐敗臭。
４：弱い腐敗臭。
３：尿と楽に分かる強い臭い。
２：尿と分かる弱い臭い。
１：尿と判別し難い僅かな臭い。
０：臭いがしない。
【００８６】
【表１】
2017070515.tif 000013
表中、「＋」は抗菌剤溶液を添加したことを意味し、「−」は何も添加していないことを意味する。
【００８７】
表１に示す結果から明らかなとおり、各実施例で得られた吸収体は、抗菌剤の抗菌効果が十分に発現した結果、尿臭の抑制効果が比較例の吸収体よりも高いことが判る。